(57)【要約】  無線通信方法及び無線通信装置を開示している。無線通信装置は、処理回路を含み、当該処理回路は、アップリンク伝送の初回伝送及び再送に対して異なるリソースをそれぞれ配置し、異なるリソースとアップリンク伝送の初回伝送及び再送との対応関係を指示するリソース指示情報を生成するように配置されている。なお、当該処理回路は、アップリンク伝送によって使用されるリソースを認識することでアップリンク伝送の伝送回数を確定するように配置されている。
2020509616.tif 000002
【特許請求の範囲】
【請求項１】
処理回路を含む無線通信に用いられる電子機器であって、前記処理回路は、
アップリンク伝送の初回伝送及び再送に対して異なるリソースをそれぞれ配置し、
前記異なるリソースと前記アップリンク伝送の初回伝送及び再送との対応関係を指示するリソース指示情報を生成するように配置されている電子機器。
【請求項２】
処理回路を含む無線通信に用いられる電子機器であって、前記処理回路は、
アップリンク伝送の初回伝送及び再送にそれぞれ用いられる複数のリソースグループを確定し、
前記複数のリソースグループと前記複数のリソースグループを使用する初回伝送及び再送との対応関係を指示するリソースグループ化情報を生成するように配置されている電子機器。
【請求項３】
前記処理回路は、さらに、
時間領域リソース、周波数領域リソース、時間・周波数領域リソース、符号領域リソース及び空間領域リソースのうちの一つに基づき、前記複数のリソースグループを確定するように配置されている請求項２に記載の電子機器。
【請求項４】
前記処理回路は、さらに、
周波数ホッピングを利用して前記複数のリソースグループを確定するように配置されている請求項３に記載の電子機器。
【請求項５】
前記処理回路は、さらに、
ネットワーク負荷、チャネル品質及びサービス優先度のうちの少なくとも一つに基づき、前記リソースグループの数、及び各リソースグループに含まれるリソース量を配置するように配置されている請求項２に記載の電子機器。
【請求項６】
前記処理回路は、さらに、
前記アップリンク伝送の初回伝送及び再送に対して、それぞれ異なるリソース量が含まれる前記複数のリソースグループを確定するように配置されている請求項２に記載の電子機器。
【請求項７】
前記処理回路は、さらに、
前記アップリンク伝送に使用されるリソースグループを認識し、
認識されたリソースグループに基づいて、前記アップリンク伝送の伝送回数を確定する、ように配置されている請求項２に記載の電子機器。
【請求項８】
前記処理回路は、さらに、
いずれか１回のアップリンク伝送に用いられるリソースグループにおける一つ又は複数のリソースをその前回のアップリンク伝送に用いられたリソースに関連付けることを指示するリソース関連情報を生成するように配置されている請求項２に記載の電子機器。
【請求項９】
前記処理回路は、さらに、
ネットワーク負荷、及びチャネル品質のうちの少なくとも一つに基づいて、前記リソース関連情報を設置するように配置されている請求項８に記載の電子機器。
【請求項１０】
ネットワーク装置により実行される通信方法であって、
アップリンク伝送の初回伝送及び再送にそれぞれ用いられる複数のリソースグループを確定し、
前記複数のリソースグループと、前記複数のリソースグループを使用した初回伝送及び再送との対応関係を指示するリソースグループ化情報を生成し、前記リソースグループ化情報を端末装置に送信し、
前記アップリンク伝送に使用されたリソースグループに基づいて、前記アップリンク伝送の伝送回数を確定することを含む通信方法。
【請求項１１】
処理回路を含む無線通信に用いられる電子機器であって、前記処理回路は、
リソースグループ化情報に基づいて、アップリンク伝送の初回伝送及び再送にそれぞれ用いられる複数のリソースグループを確定し、
前記アップリンク伝送の１回の伝送に対して、確定された今回の伝送に用いられるリソースグループから、今回の伝送に用いられるリソースを選択する、ように配置されている電子機器。
【請求項１２】
前記処理回路は、さらに、
今回の伝送に用いられるリソースグループから、今回の伝送に用いられるリソースをランダムに選択する、ように配置されている請求項１１に記載の電子機器。
【請求項１３】
前記処理回路は、さらに、
何れか１回のアップリンク伝送に用いられるリソースグループにおける一つ又は複数のリソースを前回のアップリンク伝送に用いられたリソースに関連付けることを指示するリソース関連情報に基づいて、今回の伝送に用いられるリソースグループにおいて、今回の伝送に用いられる利用可能なリソースとして、前回のアップリンク伝送に用いられたリソースに関連付けるリソースを確定し、
前記利用可能なリソースプールから、今回の伝送に用いられるリソースをランダムに選択する、ように配置されている請求項１１に記載の電子機器
【請求項１４】
処理回路を含む複数の通信装置と無線通信を行うための電子機器であって、前記処理回路は、
前記複数の通信装置からの複数のメッセージに対して、複数のフィードバック信号をそれぞれ生成し、
前記複数のフィードバック信号を単一の時間・周波数領域リソース上に配置して、前記複数の通信装置にフィードバックする、ように配置されている電子機器。
【請求項１５】
前記処理回路は、さらに、
前記複数のフィードバック信号を含むフィードバック信号グループを生成し、前記フィードバック信号グループを利用して前記複数のフィードバック信号を前記複数の通信装置にフィードバックするように配置されており、
前記処理回路は、さらに、各通信装置に対して、各通信装置と各通信装置に対する各フィードバック信号の前記フィードバック信号グループにおける位置との対応関係を指示するマッピング情報に基づいて、前記通信装置に対するフィードバック信号を、前記フィードバック信号グループにおける、前記通信装置に対応する位置に配置する、ように配置されている請求項１４に記載の電子機器。
【請求項１６】
前記処理回路は、さらに、
前記マッピング情報を生成し、前記マッピング情報を前記複数の通信装置に通知するように制御する、ように配置されている請求項１５に記載の電子機器
【請求項１７】
前記マッピング情報は、各通信装置の識別子又は署名と、各フィードバック信号の前記フィードバック信号グループにおける位置との対応関係を指示する請求項１５に記載の電子機器。
【請求項１８】
前記フィードバック信号グループに含まれるフィードバック信号の数は一定である請求項１５に記載の電子機器。
【請求項１９】
前記フィードバック信号グループに含まれるフィードバック信号の数は、前記電子機器と通信可能な前記通信装置の最大数に等しい請求項１８に記載の電子機器。
【請求項２０】
前記フィードバック信号グループに含まれるフィードバック信号の数は可変である請求項１５に記載の電子機器。
【請求項２１】
前記処理回路は、さらに、
前記電子機器と通信している前記通信装置の数に基づいて、前記フィードバック信号グループに含まれるフィードバック信号の数を配置するように配置されている請求項２０に記載の電子機器。
【請求項２２】
前記処理回路は、さらに、
前記電子機器と通信している前記通信装置の数に基づいて、マッピング関係を配置するように配置されている請求項２０に記載の電子機器。
【請求項２３】
前記フィードバック信号グループを送信するためのリソースと、前記複数の通信装置のそれぞれがメッセージを送信するためのリソースとの間に、一定の関係を有する請求項１５に記載の電子機器。
【請求項２４】
処理回路を含む無線通信に用いられる電子機器であって、前記処理回路は、
マッピング情報に基づいて、複数のフィードバック信号を含むフィードバック信号グループにおける前記電子機器に対応する位置から、前記電子機器により送信されたメッセージに対応するフィードバック信号を取得する、ように配置されており、 
前記複数のフィードバック信号は、前記電子機器を含めた複数の通信装置により送信された複数のメッセージに対するフィードバック信号であり、且つ前記マッピング情報は、前記複数の通信装置と、前記複数の通信装置に対する前記複数のフィードバック信号の前記フィードバック信号グループにおける位置との対応関係を指示する電子機器。
【請求項２５】
処理回路を含む複数の通信装置と無線通信を行うための電子機器であって、前記処理回路は、
前記複数の通信装置からの複数のメッセージに対して、複数のフィードバック信号をそれぞれ生成し、
各通信装置に対するフィードバック信号を、前記通信装置に対するダウンリンク制御情報に含ませて前記通信装置に送信する、ように配置されている電子機器。
【発明の詳細な説明】
【技術分野】
【０００１】
本発明は、無線通信方法、及び無線通信装置に関し、具体的に、アップリンクグラントフリー（ＵＬ  ｇｒａｎｔ−ｆｒｅｅ）伝送メカニズムにおける自動再送に用いられる方法及び装置に関する。
【背景技術】
【０００２】
通信技術の発展につれて、第５世代（５Ｇ）移動通信は、より高いスペクトル効率、より速い速度、より大きい容量を有する無線ネットワークに位置付けられ、そのスペクトル効率が第４世代（４Ｇ） 移動通信に比べて、５〜１５倍を上げる必要がある。スペクトル効率を５〜１５倍を改善するニーズに対して、新しい多元接続方法、即ち、非直交多元接続（ＮＯＭＡ）が提案されている。ＮＯＭＡ技術は、送信側で非直交伝送を用いて、積極的に干渉情報を導入し、受信側で直列干渉除去技術により正しい復調を達成する。受信機の複雑さは改善されるが、より高いスペクトル効率が得られる。チップの処理能力が増加するにつれて、実際のシステムにおけるＮＯＭＡの適用は可能になる。
【０００３】
また、第３世代移動体通信システムの標準化プロジェクト（３ＧＰＰ）は、既に、第５世代（５Ｇ）移動通信の応用シナリオを計画し、超高速モバイル通信（ｅＭＢＢ）、大容量マシンタイプ通信（ｍＭＴＣ）、及び超高信頼低遅延（ｅＭＴＣ）の三つの要件を含む。その中、ｅＭＢＢは、主に、人々の間のコミュニケーションのパフォーマンスを向上させることを目指し、ｍＭＴＣとｅＭＴＣは、モノのインターネットの応用シナリオを目指しているが、ｍＭＴＣは、主に人と物の情報のインタラクションを目指し、ｅＭＴＣは、主に物の間の通信を目指す。
【０００４】
また、５Ｇ移動通信について、３ＧＰＰは、既に、アップリンクグラントフリーの伝送スキームを検討している。アップリンクグラントフリー伝送とは、端末装置の送信待ちの信号が準備完了した直後にアップリンク伝送を行い、基地局にスケジューリング要求を送信し及び基地局からのアップリンクスケジューリンググラントを受信する必要がない。アップリンクグラントフリー伝送は、スケジューリング要求及びアップリンクスケジューリンググラントに関するシグナリングオーバーヘッドを低減することができ、（２）スケジューリング要求及びアップリンクスケジューリンググラントによる送信遅延を低減することができるような利点を有する。
【発明の概要】
【発明が解決しようとする課題】
【０００５】
本発明は、アップリンクグラントフリー伝送メカニズム対して、再送及びＡＣＫ/ＮＡＣＫフィードバックスキームを提供する。特に、本発明は、ｍＭＴＣシナリオにおけるアップリンクグラントフリー伝送に適用する。
【課題を解決するための手段】
【０００６】
本発明の一局面によれば、無線通信に用いられる電子機器を提供し、処理回路を含み、前記処理回路は、アップリンク伝送の初回伝送及び再送に対して、異なるリソースをそれぞれ配置し、前記異なるリソースと、前記アップリンク伝送の初回伝送及び再送との対応関係を指示するリソース指示情報を生成するように配置されている。
【０００７】
本発明の他の一局面によれば、処理回路を含む無線通信に用いられる電子機器を提供し、前記処理回路は、アップリンク伝送の初回伝送及び再送にそれぞれ用いられる複数のリソースグループを確定し、前記複数のリソースグループと、前記複数のリソースグループを使用する初回伝送及び再送との対応関係を指示するリソースグループ化情報を生成するように配置されている。
【０００８】
本発明の他の一局面によれば、ネットワーク装置によって実行される通信方法を提供し、アップリンク伝送の初回伝送及び再送にそれぞれ用いられる複数のリソースグループを確定し、リソースグループ化情報を生成し、前記リソースグループ化情報を端末装置に送信し、及び前記アップリンク伝送によって使用されるリソースグループに応じて、前記アップリンク伝送の伝送回数を確定する、ことを含んでおり、前記リソースグループ化情報は、前記複数のリソースグループと、前記複数のリソースグループを使用する初回伝送及び再送との対応関係を指示する。
【０００９】
本発明の他の一局面によれば、処理回路を含む無線通信に用いられる電子機器を提供し、前記処理回路は、リソースグループ化情報に応じて、アップリンク伝送の初回伝送及び再送にそれぞれ用いられる複数のリソースグループを確定し、前記アップリンク伝送の１回の伝送に対して、確定された今回の伝送に用いられるリソースグループから、今回の伝送に用いられるリソースを選択する、ように配置されている。
【００１０】
本発明の他の一局面によれば、処理回路を含む複数の通信装置と無線通信を行うための電子機器を提供し、前記処理回路は、前記複数の通信装置からの複数のメッセージに対して、複数のフィードバック信号をそれぞれ生成し、前記複数のフィードバック信号を単一の時間・周波数領域リソース上に配置して、前記複数の通信装置にフィードバックする、ように配置されている。
【００１１】
本発明の他の一局面によれば、処理回路を含む無線通信に用いられる電子機器を提供し前記処理回路は、マッピング情報に応じて、複数のフィードバック信号を含むフィードバック信号グループにおける前記電子機器に対応する位置から、前記電子機器によって送信されたメッセージに対応するフィードバック信号を取得する、ように配置されており、 前記複数のフィードバック信号は、前記電子機器を含む複数の通信装置によって送信された複数のメッセージに対するフィードバック信号であり、且つ、前記マッピング情報は、前記複数の通信装置と、前記複数の通信装置に対する前記複数のフィードバック信号の前記フィードバック信号グループにおける位置との対応関係を指示する。
【００１２】
本発明の他の一局面によれば、処理回路を含む複数の通信装置と無線通信を行うための電子機器を提供し、前記処理回路は、前記複数の通信装置からの複数のメッセージに対して、複数のフィードバック信号をそれぞれ生成し、各通信装置に対するフィードバック信号を前記通信装置に対するダウンリンク制御情報に含ませて前記通信装置に送信するように配置されている。
【００１３】
本発明の他の局面によれば、上記本発明による方法を実現するためのコンピュータプログラムコードとコンピュータプログラム製品、及びその上に上記本発明による方法を実現するためのコンピュータプログラムコードが記録されたコンピュータ読み取り可能な記憶媒体をさらに提供する。
【００１４】
本発明は、アップリンクグラントフリー伝送シナリオに対して、アップリンク伝送の各伝送に用いられるリソース配置、及びＡＣＫ/ＮＡＣＫフィードバックスキームを設計した。本発明の技術案により、アップリンクグラントがない場合に、アップリンク伝送によって使用されるリソースに応じて伝送回数を認識し、効率よく大量の端末装置にＡＣＫ／ＮＡＣＫをフィードバックすることができる。
【図面の簡単な説明】
【００１５】
本発明は、以下に図面と合わせて記載された説明を参照することによりよく理解できる。なお、全ての図面において、同一又は類似する部品を同一又は類似する符号で示している。前記図面は以下の詳細説明と共に本明細書に含まれ本明細書の一部として構成されており、更に例を挙げることにより本発明の好適な実施例を説明し、本発明の原理とメリットを解釈する。図面において、
【図１】本発明による、伝送リソースをグループ化する模式図である。
【図２】再送に用いられるリソースを選択するする二つのスキームをそれぞれ示す。
【図３】再送に用いられるリソースを選択するする二つのスキームをそれぞれ示す。
【図４】図２に示すスキームに対するシグナリングインタラクションの流れを示す。
【図５】図３に示すスキームに対するシグナリングインタラクションの流れを示す。
【図６Ａ】伝統のＡＣＫ/ＮＡＣＫフィードバックによって使用されるリソースを模式的に示す。
【図６Ｂ】本発明の一例にかかるＡＣＫ/ＮＡＣＫフィードバックスキームによって使用されるリソースを模式的に示す。
【図７】本発明の他の一例にかかるＡＣＫ/ＮＡＣＫフィードバックスキームの主なシグナリングインタラクションの流れを示す。
【図８Ａ】本発明にかかる明示的マッピング及び相応するフィードバック信号グループをそれぞれ示す。
【図８Ｂ】本発明にかかる明示的マッピング及び相応するフィードバック信号グループをそれぞれ示す。
【図９】図８Ａ−８Ｂに示す明示的マッピングに対する一つのシグナリングインタラクションの流れを示す。
【図１０】図８Ａ−８Ｂに示す明示的マッピングに対する他の一つのシグナリングインタラクションの流れを示す。
【図１１Ａ】本発明による暗黙的マッピング、及び相応するフィードバック信号グループをそれぞれ示す。
【図１１Ｂ】本発明による暗黙的マッピング、及び相応するフィードバック信号グループをそれぞれ示す。
【図１１Ｃ】本発明による暗黙的マッピング、及び相応するフィードバック信号グループをそれぞれ示す。
【図１２】図１１Ａ−１１Ｃに示す暗黙的マッピングに対する一つのシグナリングインタラクションの流れを示す。
【図１３】図１１Ａ−１１Ｃに示す暗黙的マッピングに対する他の一つのシグナリングインタラクションの流れを示す。
【図１４】アップリンクデータパケット伝送リソースと、相応するフィードバック信号グループ伝送リソースとの間の関係を模式的に示す。
【図１５】本発明による基地局の概略的なブロック図を示す。
【図１６】本発明にかかる端末装置の概略的なブロック図を示す。
【図１７】端末装置の一例としてのスマートフォンの概略的なブロック図を示す。
【図１８】基地局の一例としてのｅＮＢの概略的なブロック図を示す。
【図１９】コンピューターのハードウェアの概略的な構成ブロック図を示す。
【発明を実施するための形態】
【００１６】
ｍＭＴＣシナリオにおいて、端末装置は、長時間で間欠受信（ＤＲＸ）状態にあり、時には少量のデータを送信するために起動される。しかしながら、システムに存在する端末装置の数が巨大であるので、同一の時間でアクティブ状態にある端末装置の密度は依然として比較的大きく、理論的に１０６個／ｋｍ２に達する。従って、ｍＭＴＣシナリオにおいてＮＯＭＡ技術を採用する場合におけるアップリンクグラントフリー伝送は、なるべく小さいオーバーヘッドと遅延で多数の非周波数小パケットを完了することを目指す。
【００１７】
既存のロングタームエボリューション（ＬＴＥ）システムの再送メカニズムでは、基地局から端末装置に送信するアップリンクスケジューリンググラント（ＵＬ  ｇｒａｎｔ）に２ビットの冗長バージョン（ＲＶ）を含み、ＲＶの順序が０、２、３、１であり、順に端末装置の初回伝送と各再送に対応する。しかしながら、アップリンクグラントフリー伝送メカニズムに関して、アップリンクスケジューリンググラントが存在しないので、基地局は受信したアップリンク信号が初回伝送であるか再送であるかを識別できるように、新しいスキームを設計する必要がある。
【００１８】
上記の問題について、本発明は、アップリンク伝送の各伝送 （初回伝送と各再送を含む）に異なるリソースを配置し、そして、基地局は、認識したアップリンク伝送によって使用されるリソースに応じて、アップリンク伝送の伝送回数を確定する。具体的に、基地局は、伝送リソースを複数のリソースグループに分割し、各リソースグループをアップリンク伝送の各伝送にそれぞれ対応させることができ、そして、端末装置は、いずれか１回の伝送に対して、相応するリソースグループからリソースを選択してアップリンク伝送を行い、基地局は、検出されたアップリンク伝送によって使用されるリソースグループに応じて伝送回数を確定する。前記アップリンク伝送には、データサービス伝送、及び制御情報の少なくとも一方を含む。
【００１９】
本発明において、伝送リソースには物理リソース及び署名（ｓｉｇｎａｔｕｒｅ）リソースを含むことができる。物理リソースには、時間領域リソース、周波数領域リソース、時間・周波数領域リソース（例えば、時間・周波数リソースブロック）、符号領域リソース及び空間領域リソースなどを含んでもよい。署名リソースには、コードブック／コードワード、シーケンス、インターリーブ及び／又はマッピングパターン、復調リファレンス信号、プリアンブル、空間次元、パワー次元などを含んでもよい。
【００２０】
実現の複雑さ及び時間の柔軟性の観点から、周波数領域でリソースをグループ化する形態を採用することが可能である。以下、主に、周波数領域リソースをグループ化する例にとって、本発明の技術案を記述するが、なお、本発明はこの例に限定されず、上記した各種のリソースをグループ化することで本開示のスキームを図ることができる。
【００２１】
図１に、本発明による、周波数領域リソースを不均一にグループ化する模式図を示している。図１に示すように、基地局は、周波数領域リソースをｆ１、ｆ２、ｆ３、ｆ４の四つの周波数帯域（四つのリソースグループ）に分割し、アップリンク信号の初回伝送、及び第１回〜第３回の再送にそれぞれ用いる。各周波数帯域の帯域幅が異なり、即ち、各リソースグループに含まれるリソース量が異なり、従って、非均一グループ化と称する。周波数帯域ｆ１は初回伝送に用いられる。好ましくは、再送のためのリソースグループに比べて、初回伝送に用いられるリソースグループにより多いリソースを配置することができる。例えば、この例において、周波数帯域ｆ１に大きい帯域幅を配置する。初回伝送は全部のシステム情報と一部のチェックビットを含むので、初回伝送により多いリソースを配置することで、初回伝送際の衝突確率を低減することができるとともに、伝送に成功する必要な平均伝送回数を減少することができる。伝送回数の増加につれて、相応するリソースグループに減少されるリソース量を配置する。図１に示すように、第１回〜第３回の再送に用いられる周波数帯域ｆ２、ｆ３、ｆ４の帯域幅は周波数帯域ｆ１の帯域幅よりも小さく、且つ徐々に減少している。
【００２２】
なお、図１に、周波数領域リソースを四つのリソースグループに分割することを示しているが、リソースグループの数は四つに限定されない。本発明の一例によれば、基地局のサービスする複数の端末装置のそれぞれがサポートする最大再送回数は、それぞれＭ１、Ｍ２、．．．、Ｍｎであると仮定すると、基地局は、リソースグループの数Ｍを、各々の最大再送信回数のうち最も大きいものに等しくなるように、Ｍ＝ｍａｘ｛Ｍ１，Ｍ２，．．．，Ｍｎ｝となるように確定する。また、図１に、初回伝送及び第１回〜第３回の再送に、異なるリソースを含む四つのリソースグループをそれぞれ配置することを示しているが、各リソースグループに含まれるリソース量は同じであってもよい。例えば、非適応型ハイブリッド自動再送（ＨＡＲＱ）の場合に、初回伝送及び再送に用いられるリソース量が同じである。
【００２３】
基地局は、リソースグループを分割してからリソースグループ化情報を生成し、物理ブロードキャストチャネル（ＰＢＣＨ）又はマルチキャスト／ブロードキャスト単一周波数ネットワーク（ＭＢＳＦＮ）サブフレームにより、リソースグループ化情報をセルにおける各端末装置にブロードキャストすることができ、当該リソースグループ化情報は、複数のリソースグループと、アップリンク伝送の複数回の伝送との対応関係を指示する。
【００２４】
また、基地局は、ネットワーク負荷、チャネル品質、及びサービス優先度のうちの一つ又は複数に応じてリソースグループを配置してもよい。例えば、基地局は、上記要素に応じて、リソースグループの数やリソースグループの分割形態、各グループに含まれるリソース量などを変更してもよい。例えば、基地局は、端末装置のサービス優先度に応じて、異なる端末装置に異なるリソースグループを配置してもよい。例えば、ットワーク負荷が小さく、チャネル品質が良い場合に、初回送信が成功する確率が高く、従って、初回伝送に用いられるリソースグループより多いリソースを配置することができ、それに対応して、再送に用いられる各リソースグループに含まれるリソース量を減らすことができる。また、基地局は、半静的な方式でリソースグループを配置してもよい。
【００２５】
周波数領域リソースのグループ化に関して、干渉防止性能及びフェージング防止性能を高めるために周波数ホッピング設計を採用することが好ましい。図１に示すように、初回伝送及び第１回〜第３回の再送に用いられる周波数帯域ｆ１−ｆ４は、周波数領域で連続していないがホッピングしている。
【００２６】
端末装置は、リソースグループ化情報を受信すると、アップリンク伝送の各伝送に用いられる各リソースグループを確定することができる。初回伝送に関して、端末装置は、確定された初回伝送に用いられるリソースグループからリソースを選択して、アップリンク信号を送信する。例えば、端末装置は、当該リソースグループからリソースをランダムに選択してアップリンク伝送に用いてもよい。
【００２７】
再送リソースの選択に関して、端末装置は、相応するリソースグループから伝送リソースをランダムに選択するか、一定のルールに従って、相応するリソースグループから伝送リソースを選択してもよく、図２、図３は、この二つのスキームをそれぞれ示している。図２、図３に示す例において、周波数領域で伝送リソースをグループ化すると仮定し、そして、四つのリソースグループＲ０−Ｒ３に分割し、それぞれ初回伝送、及び第１回〜第３回の再送に対応すると仮定する。
【００２８】
まず、図２を参照し、二つの端末装置ＵＥ１、ＵＥ２がリソースグループＲ０から同一の時間・周波数リソースブロックＢ０を選択して初回伝送を行うと仮定する。初回伝送が成功しなかった場合、端末装置ＵＥ１はリソースグループＲ１からリソースブロックＢ１ランダムに選択して第１回の再送を行い、一方、端末装置ＵＥ２はリソースグループＲ１からリソースブロックＢ２をランダムに選択して第１回の再送を行う。リソースブロックＢ１、Ｂ２は、端末装置ＵＥ１、ＵＥ２が第１回の再送に用いられるリソースグループＲ１からランダムに選択するものであり、図２に、リソースグループＲ１における二つの異なるリソースブロックとして示されたが、同一のリソースブロックであってもよい。類似して、第１回の再送が失敗すると、端末装置ＵＥ１、ＵＥ２は、それぞれ、第２回の再送に用いられるリソースグループＲ２からリソースをランダムに選択して伝送を行う。
【００２９】
図３に示す例において、伝送が失敗すると、端末装置は、次回の伝送に用いられるリソースグループからリソースをランダムに選択して再送を行うことではなく、相応するリソースグループに含まれる若干の利用可能リソースプールから再送に用いられるリソースを選択する。図３に示すように、依然として、二つの端末装置ＵＥ１、ＵＥ２がリソースグループＲ０から同一の時間・周波数リソースブロックＢ０を選択して初回伝送を行うと仮定する。初回伝送が成功しなかった場合、端末装置ＵＥ１は、まず、基地局からのリソース関連情報に応じて、第１回の再送に用いられるリソースグループＲ１から利用可能な伝送リソースを確定し、利用可能なリソースブロックＢ１、Ｂ２、Ｂ３、Ｂ４を得る。そして、端末装置ＵＥ１は利用可能なリソースブロックＢ１−Ｂ４からある一つのリソースブロック（例えば、リソースブロックＢ１）をランダムに選択して第１回の再送に用いる。
【００３０】
リソース関連情報は基地局によって生成され、ＰＢＣＨを介して端末装置にブロードキャストされてもよい。リソース関連情報は、いずれか１回のアップリンク伝送に用いられるリソースグループにおける一つ又は複数のリソースと、前回のアップリンク伝送に用いられたリソースとの関連性を指示する。つまり、信号の前回の伝送によって使用されたリソースと、今回の伝送によって使用されるリソースとの間に関連性を有し、今回の伝送によって使用されるリソースは、前回の伝送によって使用されたリソースと関連付けられたリソースからのみ選択され、任意に選択することができない。図３の例において、基地局によって配置されるリソース関連情報に応じて、リソースグループＲ０におけるリソースブロックＢ０がリソースグループＲ１におけるリソースブロックＢ１−Ｂ４に関連付けられ、なお、リソースブロックＢ１−Ｂ４は、周波数領域で位置が同じであり、且つ複数の連続した時間領域位置を含む。従って、リソースブロックＢ１−Ｂ４は、端末装置ＵＥ１が第１回の再送を行う際に利用可能リソースである。
【００３１】
図３の例において、端末装置ＵＥ２は初回伝送の際に端末装置ＵＥ１と同じリソースブロックＢ０を使用するため、リソース関連情報に応じて、リソースブロックＢ０が、リソースグループＲ１におけるリソースブロックＢ１、Ｂ２、Ｂ３、Ｂ４と関連付けられたので、端末装置ＵＥ２も、利用可能なリソースブロックＢ１−Ｂ４から第１回の再送に用いられるリソースブロック、例えば、リソースブロックＢ３をランダムに選択する。
【００３２】
図３に、さらに、初回伝送の際にリソースブロックＢ０と異なる他のリソースブロックＢ０’を用いる端末装置ＵＥ３、ＵＥ４を示している。端末装置ＵＥ１、ＵＥ２と類似して、初回伝送が成功しなかった場合に、端末装置ＵＥ３、ＵＥ４も、それぞれ、リソースグループＲ１におけるリソースブロックＢ０’に関連付けられた利用可能なリソースブロックＢ１’、Ｂ２’、Ｂ３’、Ｂ４’から、第１回の再送に用いられるリソースをランダムに選択する。同じ形態で、第１回の再送が失敗したと、各端末装置は、リソース関連情報に応じて、第２回の再送に用いられるリソースグループＲ２から、第２回の再送に用いられる利用可能なリソースを確定し、さらに、利用可能リソースプールから、ある一つのリソースを選択して第２回の再送を行ってもよい。
【００３３】
また、複数の端末装置の間に関連性を有すると、当該複数の端末装置の初回伝送及び再送に用いられる伝送リソースは関連性も有する。例えば、複数の端末装置は同じサービス優先度を有すると、当該複数の端末装置は、均等な機会で初回伝送に用いられるリソースを選択することができる。
【００３４】
図２に示す再送リソースをランダムに選択するスキームの利点は、シグナリングオーバーヘッドが比較的小さいことにある。しかしながら、図３に示す所定の規則に従ってリソースを選択するスキームは、図２に示すスキームよりも端末装置に利用可能なリソースの範囲が絞られたので、基地局のブラインド検出の複雑さを大幅に低減することができる。
【００３５】
図４に、図２に示すスキームに対するシグナリングインタラクション図を示す。図４に示すように、端末装置ＵＥと基地局ｇＮＢは、ステップＳ４１０で、通常のランダムアクセス手順を実行する。続いて、基地局ｇＮＢは、ステップＳ４２０で、アップリンク伝送に用いられる複数回の伝送の複数のリソースグループを確定し、複数回の伝送と複数のリソースグループとの対応関係を指示するリソースグループ化情報を生成する。なお、ステップＳ４１０とＳ４２０の実行は図示の順序に限定されず、交換順序で行ってもよい。そして、基地局ｇＮＢは、ステップＳ４３０で、生成したリソースグループ化情報を端末装置ＵＥに通知する（例えば、ブロードキャストする）。端末装置ＵＥは、受信したリソースグループ化情報に応じてアップリンク伝送の各伝送に用いられる各リソースグループを確定でき、ステップＳ４４０に示す。具体的に、いずれか１回の伝送に対して、端末装置ＵＥは、確定されたリソースグループからリソースをランダムに選択してアップリンク伝送を行い、ステップＳ４５０に示す。基地局ｇＮＢは、ステップＳ４６０で、端末装置ＵＥがアップリンク伝送を行うために用いられるソースグループを認識することにより、当該アップリンク伝送の伝送回数を確定することができる。基地局ｇＮＢと端末装置ＵＥとの通信中で、例えば、端末装置ＵＥが複数回の再送を行った場合に、ステップＳ４５０とステップＳ４６０とが繰り返し行われることができる。その後、ステップＳ４７０に示すように、例えば、チャネル品質が変わった場合、基地局ｇＮＢは、リソースグループを再配置し、更新されたリソースグループ情報を生成することができる。その後、基地局ｇＮＢは、ステップＳ４８０で、更新されたリソースグループ化情報を端末装置ＵＥに通知し、端末装置ＵＥは、更新されたリソースグループ化情報に応じて、更新されたリソースグループを確定することにより、後続する通信プロセスを行い、具体的細部については、ステップＳ４４０−Ｓ４６０と同じであるので、ここで重複しない。
【００３６】
図５に、図３に示すスキームに対するシグナリングインタラクション図を示している。図５に示すように、端末装置ＵＥと基地局ｇＮＢは、ステップＳ５１０で、通常のランダムアクセス手順を実行する。続いて、基地局ｇＮＢは、ステップＳ５２０で、アップリンク伝送の各伝送に用いられる複数のリソースグループを確定し、リソースグループ化情報を生成し、また、基地局ｇＮＢは、さらに、リソース関連情報を生成する。図４と類似して、図５におけるステップＳ５１０とＳ５２０の実行順序は交換可能である。その後、基地局ｇＮＢは、ステップＳ５３０で、生成したリソースグループ化情報、及びリソース関連情報を端末装置ＵＥに通知する。端末装置ＵＥは、受信したリソースグループ化情報に応じてアップリンク伝送の各伝送に用いられる各リソースグループを確定してもよく、リソース関連情報に応じて、次回の伝送に用いられる利用可能なリソースを確定してもよく、ステップＳ５４０に示す。具体的いずれか１回の伝送に対して、端末装置ＵＥは、確定されたリソースグループの利用可能リソースプールから特定のリソースをランダムに選択してアップリンク伝送を行うことができ、ステップＳ５５０に示す。基地局ｇＮＢは、ステップＳ５６０で、端末装置ＵＥがアップリンク伝送を行うために用いられるリソースが位置するリソースグループを認識することにより、当該アップリンク伝送の伝送回数を確定できる。基地局ｇＮＢと端末装置ＵＥとの通信中で、例えば、端末装置ＵＥが複数回の再送を行った場合に、ステップＳ５５０とステップＳ５６０とは繰り返し行われることができる。その後、ステップＳ５７０に示すように、チャネル品質又はネットワーク負荷が変わった場合に、基地局ｇＮＢは、リソースグループ化情報及び／又はリソース関連情報を再設置し、ステップＳ５８０で、更新されたリソースグループ化情報及び／又はリソース関連情報端末装置ＵＥに送信してもよい。つまり、リソースグループ化情報を除き、リソース関連情報も、基地局により半静的に配置されてもよい。続いて、端末装置ＵＥは、受信した更新情報に応じて新しいリソースグループ、及び新しい利用可能なリソースを確定することで、後続するアップリンク伝送を行い、具体的細部については、ステップＳ５４０−Ｓ５６０と同じであるので、ここで重複しない。
【００３７】
以下、本発明による肯定応答／否定応答（ＡＣＫ／ＮＡＣＫ）フィードバックスキームを記述する。図６Ａに、伝統のＡＣＫ／ＮＡＣＫフィードバック信号が占有するリソースを模式的に示す。伝統のＬＴＥシステムにおいて、基地局は物理ハイブリッド自動再送指示チャネル（ＰＨＩＣＨ）で端末装置に対するＡＣＫ／ＮＡＣＫフィードバック信号を送信する。図６Ａに示すように、ＰＨＩＣＨは、時間領域において一つのダウンリンクサブフレームの一番目又は三番目の直交周波数分割多重（ＯＦＤＭ）符号のみを占有し、周波数領域において占有する周波数リソースもばらばらに分布している。従って、ＰＨＩＣＨに用いられる伝送リソースは非常に限られている。しかしながら、ｍＭＴＣシナリオにおいて、端末装置の数が巨大であり、同時にアップリンク伝送を行う端末装置の数も非常に多いので、それに対応して、基地局は、各端末装置に大量のＡＣＫ／ＮＡＣＫフィードバックを送信する必要がある。この場合、ＰＨＩＣＨは、基地局が大量のＡＣＫ／ＮＡＣＫ信号を送信するためのリソースニーズを満たすことは困難である。
【００３８】
以上の問題に対して、本発明は、物理ダウンリンク制御チャネル（ＰＤＣＣＨ）を介してＡＣＫ／ＮＡＣＫをフィードバックするスキームと、単一のフィードバックシグナリングによりＡＣＫ／ＮＡＣＫを一括してフィードバックするスキームとの二つの新しいＡＣＫ／ＮＡＣＫフィードバックスキームを提案する。
【００３９】
第一種のスキームとして、基地局は、ＰＨＩＣＨではなく、ＰＤＣＣＨを介して端末装置にＡＣＫ／ＮＡＣＫフィードバック信号を送信することができる。ＰＤＣＣＨが利用可能な伝送リソースはＰＨＩＣＨよりも遥かに多いので、ＰＤＣＣＨを使用すると、ＡＣＫ／ＮＡＣＫをフィードバックするためのリソースが不足する問題を解決することができる。図６Ｂに、このようなスキームによるリソース占有状況を模式的に示している。図６Ｂに示すように、ＰＤＣＣＨに多くのリソースが割り当てられ、且つＰＨＩＣＨを保留せず、ＰＨＩＣＨによって占有されたリソースもＰＤＣＣＨに割り当てられる。従って、基地局は、多くの端末装置に対するＡＣＫ／ＮＡＣＫフィードバック信号を送信するのに十分なリソースを有することができる。好ましくは、基地局は、ＰＤＣＣＨを介して伝送している、各端末装置に対するダウンリンク制御情報（ＤＣＩ）に１ビットを増加し、当該ビットにより、当該端末装置によって送信されたメッセージに対する応答（ＡＣＫ又はＮＡＣＫ）を指示してもよい。
【００４０】
第一種のスキームとして、基地局は、単一の時間・周波数領域リソースを利用して複数のＡＣＫ／ＮＡＣＫフィードバック信号を複数の端末装置に一括してフィードバックすることができる。言い換えると、基地局は、一回のフィードバックシグナリングの伝送により各端末装置に当該複数の端末装置に対する複数のＡＣＫ／ＮＡＣＫフィードバック信号を送信することができ、各端末装置に対して、一つのフィードバックシグナリングによりＡＣＫ／ＮＡＣＫをフィードバックする必要がない。特に、このスキームは、ＮＯＭＡ技術を用いたｍＭＴＣシナリオにおけるアップリンクグラントフリー伝送に適用する。
【００４１】
図７に、このスキームによる、主なシグナリングインタラクションの流れを示す。図７に示すように、ステップＳ７１０で、複数の端末装置ＵＥから基地局ｇＮＢに複数のメッセージを送信し、基地局ｇＮＢは、ステップＳ７２０で、当該複数のメッセージに対して、複数のＡＣＫ／ＮＡＣＫフィードバック信号をそれぞれ生成する。次に、基地局ｇＮＢは、ステップＳ７３０で、予定のマッピング情報に応じて、生成した複数のＡＣＫ／ＮＡＣＫフィードバック信号を一つのグループに合併し、ステップＳ７４０で、フィードバック信号グループの形で、当該複数の端末装置ＵＥにＡＣＫ／ＮＡＣＫをフィードバックする。当該スキームの一例として、複数の端末装置ＵＥは、同一の伝送リソース（例えば時間・周波数領域リソース）を用いて基地局ｇＮＢにメッセージを送信してもよい。このスキームの他の一例として、基地局は、ＰＤＣＣＨの共通サーチスペース（ｃｏｍｍｏｎ  ｓｅａｒｃｈ  ｓｐａｃｅ）上にフィードバック信号グループを伝送してもよい。
【００４２】
ＡＣＫ／ＮＡＣＫフィードバック信号グループの長さ、即ち、フィードバック信号グループに含まれるフィードバック信号の数は一定であってもよい。例えば、当該長さは、基地局がサービスできる端末装置の最大数、即ち、セルにおいてアクセス可能な端末装置の最大数に等しく設定することができる。一方、ＡＣＫ／ＮＡＣＫフィードバック信号グループの長さは可変であってもよく、且つ基地局によってセルにおいて現在アクセスされている端末装置の数の変化に応じて調整されてもよい。この場合、ＡＣＫ／ＮＡＣＫフィードバック信号グループの長さは短くなることができ、これにより、端末装置によるＡＣＫ／ＮＡＣＫフィードバック信号グループの復号の複雑さをある程度で軽減することができる。
【００４３】
フィードバック信号グループにより、複数の端末装置に対する複数のＡＣＫ／ＮＡＣＫフィードバック信号をフィードバックする場合に、端末装置は、受信したフィードバック信号グループに含まれる複数のフィードバック信号のいずれが自身によって送信されたメッセージに対するフィードバック信号であるかを確定することができる必要がある。この問題に対して、本発明は、二つのフィードバックマッピングスキームを提案し、以下それぞれ記述する。
【００４４】
図８Ａ、８Ｂは、それぞれ、第１種のマッピングスキーム、及び相応するフィードバック信号グループを示している。当該スキームにおいて、端末装置の識別子（ＩＤ）と、当該端末装置に対するＡＣＫ／ＮＡＣＫフィードバック信号のフィードバック信号グループにおける位置との間に対応関係を有し、これは、明示的マッピングとも称される。図８Ａに示すように、端末装置ＵＥ１がフィードバック信号グループの第１ビットに対応し、これは、フィードバック信号グループにおける第１ビットが端末装置ＵＥ１に対するＡＣＫ／ＮＡＣＫフィードバック信号であることを意味する。類似して、端末装置ＵＥ２は、フィードバック信号グループの第２ビットに対応し、端末装置ＵＥ３は、フィードバック信号グループの第３ビットに対応し、以下同様である。明示的マッピングによれば、フィードバック信号グループの各ビットがどの端末装置に対するＡＣＫ／ＮＡＣＫフィードバック信号であることが分かる。
【００４５】
図８Ａに示すマッピング関係に応じて生成したＡＣＫ／ＮＡＣＫフィードバック信号グループを、図８Ｂに示す。図８Ｂに示す例において、端末装置ＵＥ１、ＵＥ３、ＵＥ５が同一の時間・周波数領域リソースを用いて基地局にメッセージを送信したと仮定するので、基地局は、図８Ａに示すマッピング関係に応じて、この３つの端末装置に対する３つのＡＣＫ／ＮＡＣＫフィードバック信号を、フィードバック信号グループにおける、それらに対応する位置、即ち、第１ビット、第３ビット、及び第５ビットにそれぞれセットする。例えば、図中の「１」は肯定応答ＡＣＫを示し、「０」は否定応答ＮＡＣＫを示してもよい。また、端末装置ＵＥ２、ＵＥ４は、前に基地局にメッセージを送信していないと仮定する。従って、基地局は、端末装置ＵＥ２、ＵＥ４に対するＡＣＫ／ＮＡＣＫフィードバック信号を生成しない。端末装置ＵＥ２、ＵＥ４は基地局にメッセージを送信しないため、当該フィードバック信号グループを受信しても、それに対応する位置におけるデータを読み取らないので、基地局は当該フィードバック信号グループの第２ビット、第４ビット上で任意のデータ（「０」又は「１」）をセットすることができる。
【００４６】
上記明示的マッピングスキームに関して、図９に、基地局と端末装置との間のシグナリングインタラクションの流れを示している。図９に示す例において、フィードバック信号グループの長さが一定であり、且つセルにおいてアクセス可能な端末装置の最大数に等しいと仮定する。
【００４７】
図９に示すように、基地局ｇＮＢは、ステップＳ９１０で、セルにおいてアクセス可能な端末装置の最大数に基づいてフィードバック信号グループの長さを確定するとともに、マッピング情報を生成し、当該マッピング情報は、各端末装置ＵＥのＩＤと、各端末装置に対する各フィードバック信号のフィードバック信号グループにおける位置とのマッピング関係を指示する。そして、基地局ｇＮＢは、ステップＳ９２０で、ＰＢＣＨによりセルにおける各端末装置ＵＥにＡＣＫ／ＮＡＣＫフィードバック信号グループの長さをブロードキャストし、ステップＳ９３０で、各端末装置ＵＥは、生成したマッピング情報を送信する。次に、ステップＳ９４０に示すように、セルにおける若干の端末装置ＵＥが同一の伝送リソースを用いて基地局ｇＮＢにメッセージを送信した後、基地局ｇＮＢは、ステップＳ９５０で、受信した複数のメッセージに対して複数のＡＣＫ／ＮＡＣＫフィードバック信号をそれぞれ生成し、且つステップＳ９６０で、マッピング情報に応じて、当該複数のＡＣＫ／ＮＡＣＫフィードバック信号を含むフィードバック信号グループを生成する。具体的に、基地局ｇＮＢは、マッピング情報に指示された対応関係に応じて、メッセージが送信された各端末装置ＵＥに対するＡＣＫ／ＮＡＣＫフィードバック信号を、フィードバック信号グループにおける、当該端末装置ＵＥのＩＤに対応する位置にセットする。メッセージを送信しない端末装置ＵＥについて、基地局ｇＮＢは、そのＩＤに対応する位置で任意のデータをセットする。また、基地局ｇＮＢは、セルにおける既存の端末装置の数がアクセス可能な最大数、即ちフィードバック信号グループの長さに達していない場合に、基地局ｇＮＢは、フィードバック信号グループにおける、それに対応する端末装置がない位置にも任意のデータをセットする。これにより、基地局ｇＮＢはフィードバック信号グループを生成できる。そして、基地局ｇＮＢは、ステップＳ９７０で、生成したフィードバック信号グループをセルにおける各端末装置ＵＥに送信する。ステップＳ９８０で、以前にメッセージが送信された端末装置ＵＥは、ステップＳ９３０で受信したマッピング情報と、ステップＳ９７０で受信したフィードバック信号グループとに応じて、それに対するＡＣＫ／ＮＡＣＫフィードバック信号を得ることができる。以前にメッセージを送信していない端末装置ＵＥは、フィードバック信号グループを受信してもそれを処理しない。
【００４８】
特に、新しい端末装置ＵＥがセルにアクセスする場合に、基地局ｇＮＢは、それとランダムアクセス手順を行った後、当該端末装置ＵＥに、フィードバック信号グループの長さ、及び当該端末装置ＵＥに対応するＡＣＫ／ＮＡＣＫフィードバック信号のフィードバック信号グループにおける位置を通知してもよい。その後、当該新しくアクセスした端末装置ＵＥは、図９のステップＳ９４０〜Ｓ９８０の流れに参与することができる。また、当該端末装置ＵＥがセルから離脱した場合、基地局ｇＮＢは、フィードバック信号グループにおける、離脱した端末装置ＵＥに対応する位置を、将来セルにアクセスされる端末装置に割り当ててもよい。なお、新しい端末装置がセルにアクセスする場合に、基地局は、当該端末装置のみに、フィードバック信号グループにおける相応位置を割り当てて、他の既存の端末装置の位置のマッピング関係を変更しない。同様に、端末装置がセルから離脱した場合に、基地局は当該端末装置に対応する位置のみをリリースし、他の端末装置の位置マッピング関係に影響を与えない。このような形態で、既存の端末装置への影響を最小限に抑えることができ、再配置のためのシグナリングオーバーヘッドを低減することができる。
【００４９】
明示的マッピング方式に関して、以上、図９を参照してフィードバック信号グループの長さが一定である場合のシグナリングフローについて、記述し、以下、図１０を参照して、フィードバック信号グループの長さが可変である場合のシグナリングインタラクションの流れについて記述する。
【００５０】
図１０に示すように、基地局ｇＮＢは、ステップＳ１０１０で、セルにおいて現在アクセスされている端末装置の数、及び端末装置の数の変化傾向に基づいて、フィードバック信号グループの長さを確定し、それに対応して、マッピング情報を生成する。例えば、基地局ｇＮＢは、フィードバック信号グループの長さを、現在アクセスされている端末装置の数に一定の調整値を加えたものに設置してもよく、当該調整値は、端末装置の数の変化傾向に基づいて確定されてもよく、将来、一定の期間帯においてセルにアクセスされる端末装置にフィードバック信号グループにおける位置を予約するために用いられる。生成したマッピング情報は、各端末装置ＵＥのＩＤと、各端末装置に対する各フィードバック信号のフィードバック信号グループにおける位置とのマッピング関係を指示する。その後、基地局ｇＮＢは、ステップＳ１０２０で、現在セルにアクセスされている各端末装置ＵＥにフィードバック信号グループの長さをブロードキャストし、ステップＳ１０３０で、各端末装置ＵＥに、生成したマッピング情報を送信する。なお、図１０に、基地局ｇＮＢは、それぞれステップＳ１０２０及びステップＳ１０３０で、各端末装置ＵＥにフィードバック信号グループの長さ及びマッピング情報を通知することを示したが、基地局ｇＮＢは、フィードバック信号グループの情報の長さ及びマッピング情報を併せて一つのシグナリングにより各端末装置ＵＥに送信してもよい。
【００５１】
ステップＳ１０４０に示すように、セルにおける若干の端末装置ＵＥはそれぞれ基地局ｇＮＢにメッセージを送信した後、基地局ｇＮＢは、ステップＳ１０５０で、受信した複数のメッセージに対して、複数のＡＣＫ／ＮＡＣＫフィードバック信号をそれぞれ生成し、そして、ステップＳ１０６０で、マッピング情報に応じて、当該複数のＡＣＫ／ＮＡＣＫフィードバック信号を含むフィードバック信号グループを生成する。具体的に、基地局ｇＮＢは、マッピング情報に指示された対応関係に応じて、メッセージが送信された各端末装置ＵＥに対するＡＣＫ／ＮＡＣＫフィードバック信号を、フィードバック信号グループにおける、当該端末装置ＵＥのＩＤに対応する位置にセットする。メッセージを送信しない端末装置ＵＥについて、基地局ｇＮＢは、そのＩＤに対応する位置に任意のデータをセットする。これにより、基地局ｇＮＢはフィードバック信号グループを生成することができる。そして、基地局ｇＮＢは、ステップＳ１０７０で、生成したフィードバック信号グループを、現在アクセスされているセルの各端末装置ＵＥに送信する。ステップＳ１０８０で、以前にメッセージが送信された端末装置ＵＥは、ステップＳ１０３０にて受信したマッピング情報、及びステップＳ１０７０にて受信したフィードバック信号グループに応じて、自身に対するＡＣＫ／ＮＡＣＫフィードバック信号を得ることができる。以前にメッセージを送信しない端末装置ＵＥはフィードバック信号グループを受信しても、それを処理しない。
【００５２】
そして、セル内でアクセスされている端末装置ＵＥの数は、例えば、一定の時間が経過すると、変化することがあり、よって、基地局ｇＮＢは、セルにおいて現在アクセスされている端末装置の数、端末装置の数の変化傾向に基づいて、新しいフィードバック信号グループの長さを再度確定し、それに対応して、新しいマッピング情報を生成し、ステップＳ１０９０に示す。そして、基地局ｇＮＢは、ステップＳ１１００及びＳ１１１０で、セルにおいて現在アクセスされている各端末装置ＵＥに、新しいフィードバック信号グループの長さ、及び新しいマッピング情報を通知する。以降の流れは、ステップＳ１０４０〜Ｓ１０８０と類似するので、ここで、重複しない。
【００５３】
この例において、基地局ｇＮＢは、現在セルにアクセスされている端末装置ＵＥの数に基づいて、フィードバック信号グループの長さ、及び相応するマッピング情報を周期的に配置することができる。再配置のための周期は、例えば、端末装置のＵＥのアクセスの変化頻度に応じて確定されてもよい。現在セルにアクセスされている端末装置ＵＥの数がセルにおいてアクセス可能な端末装置ＵＥの最大数よりも小さい可能性があるので、図９に示す例と比べて、この例におけるフィードバック信号グループの長さは短くなる可能性があり、これにより、端末装置によるＡＣＫ／ＮＡＣＫフィードバック信号グループの復号の複雑さを低減することができる。
【００５４】
特に、基地局ｇＮＢは、既にフィードバック信号グループの長さを確定し、且つマッピング情報を生成した後、新しい端末装置ＵＥがセルにアクセスする場合、上記のように、確定されたフィードバック信号グループに、既に当該新しい端末装置ＵＥについて予約された位置を含んでいるので、基地局ｇＮＢは、当該端末装置ＵＥとランダムアクセス手順を行った後、それに、現在のフィードバック信号グループの長さ、及びそれに割り当てられたＡＣＫ／ＮＡＣＫフィードバック信号の位置を通知することができる。なお、基地局ｇＮＢは、現在のフィードバック信号グループにおいて当該端末装置ＵＥにＡＣＫ／ＮＡＣＫフィードバック信号の位置を割り当てて、他の既存の端末装置の位置のマッピング関係を変更しないことができ、これにより、既存の端末装置への影響を最小限に抑えることができ、シグナリングオーバーヘッドを低減する。続いて、新しくアクセスされた端末装置ＵＥは、図１０のステップＳ１０４０〜Ｓ１０８０の流れに参与することができる。
【００５５】
以上、第一種のフィードバックマッピングスキームとしての明示的マッピングスキームについて記述し、以下、図１１Ａ−１１Ｃに合わせて第二種のフィードバックマッピングスキームについて記述する。当該スキームにおいて、端末装置に割り当てられた署名（ｓｉｇｎａｔｕｒｅ）と、当該端末装置に対するＡＣＫ／ＮＡＣＫフィードバック信号のフィードバック信号グループにおける位置の間にマッピング関係を有し、これは、暗黙的マッピングとも称される。
【００５６】
図１１Ａに示すように、端末装置ＵＥ１−ＵＥ５にそれぞれ異なる署名が割り当てられておいて、例えば、端末装置ＵＥ１に署名「０００」を割り当てて、端末装置ＵＥ２に署名「００１」を割り当てて、以下同様である。図１１Ｂに、端末装置ＵＥ１−ＵＥ５の署名と、端末装置ＵＥ１−ＵＥ５に対するＡＣＫ／ＮＡＣＫフィードバック信号のフィードバック信号グループにおける位置との対応関係を示している。例えば、端末装置ＵＥ１の署名「０００」がフィードバック信号グループの第１ビットに対応し、これは、フィードバック信号グループの第１ビットが端末装置ＵＥ１に対するＡＣＫ／ＮＡＣＫフィードバック信号であることを意味する。類似して、端末装置ＵＥ２の署名「００１」がフィードバック信号グループの第２ビットに対応し、端末装置ＵＥ３の署名「０１０」がフィードバック信号グループの第３ビットに対応し、以下同様である。各端末装置の署名、及び当該暗黙的マッピングによれば、フィードバック信号グループの各ビットがどの端末装置に対するＡＣＫ／ＮＡＣＫフィードバック信号をキャリアすることが分かる。
【００５７】
図１１Ａ、図１１Ｂに示す対応関係に基づいて生成されたＡＣＫ／ＮＡＣＫフィードバック信号グループについて、図１１Ｃに示す例において、端末装置ＵＥ１、ＵＥ３、ＵＥ５が同一の時間・周波数領域リソースを用いて基地局にメッセージを送信したと仮定するので、基地局は、この３つの端末装置署名と、ＡＣＫ／ＮＡＣＫフィードバック信号の位置との対応関係に応じて、端末装置に対する三つのＡＣＫ／ＮＡＣＫフィードバック信号を、フィードバック信号グループにおける、それらに対応する位置、即ち、第１ビット、第３ビット、及び第５ビットにそれぞれセットする。端末装置ＵＥ２、ＵＥ４は、以前に基地局にメッセージを送信していないと仮定する。従って、基地局は当該フィードバック信号グループの第２ビット、第４ビット上で任意のデータ（「０」又は「１」）をセットする。これにより、当該暗黙的スキームにおいて、端末装置と、ＡＣＫ／ＮＡＣＫフィードバック信号の位置を直接に対応付けせず、端末装置に割り当てられた署名によりマッピングすることが分かる。
【００５８】
図１２に合わせて、暗黙的マッピングスキームにおける基地局と端末装置とのシグナリングインタラクションについて記述する。図１２に示す例において、フィードバック信号グループの長さが一定であり、且つセルにおいてアクセス可能な端末装置の最大数と等しいと仮定する。
【００５９】
図１２に示すように、基地局ｇＮＢは、ステップＳ１２１０で、セルにおいてアクセス可能な端末装置の最大数に基づいてフィードバック信号グループの長さを確定するとともに、マッピング情報を生成し、当該マッピング情報は、各端末装置ＵＥに割り当てられた署名と、各端末装置に対する各フィードバック信号のフィードバック信号グループにおける位置との対応関係を指示する。そして、基地局ｇＮＢは、ステップＳ１２２０にて、ＰＢＣＨによりセルにおける各端末装置ＵＥにフィードバック信号グループの長さをブロードキャストし、ステップＳ１２３０で、各端末装置ＵＥに、それに割り当てられた署名、及び生成したマッピング情報を通知する。ステップＳ１２４０に示すように、セルにおける若干の端末装置ＵＥは同一の伝送リソースを用いて基地局ｇＮＢにメッセージを送信した後、基地局ｇＮＢは、ステップＳ１２５０で、受信した複数のメッセージに対して、複数のＡＣＫ／ＮＡＣＫフィードバック信号をそれぞれ生成し、且つステップＳ１２６０で、マッピング情報に応じて、当該複数のＡＣＫ／ＮＡＣＫフィードバック信号を含むフィードバック信号グループを生成する。具体的に、基地局ｇＮＢは、マッピング情報に指示された対応関係、メッセージが送信された各端末装置ＵＥに対するＡＣＫ／ＮＡＣＫフィードバック信号をフィードバック信号グループにおける、当該端末装置ＵＥの署名に対応する位置にセットする。メッセージを送信しない端末装置ＵＥについて、基地局ｇＮＢは、その署名に対応する位置で任意のデータをセットする。また、基地局ｇＮＢは、セルにおける既存の端末装置の数がアクセス可能な最大数がフィードバック信号グループの長さよりも小さいと、フィードバック信号グループにおける、それに対応する署名がない位置を任意のデータに設置する。これにより、基地局ｇＮＢは、フィードバック信号グループを生成することができる。これにより、基地局ｇＮＢはフィードバック信号グループを生成できる。そして、基地局ｇＮＢは、ステップＳ１２７０で、生成したフィードバック信号グループをセルにおける各端末装置ＵＥに送信する。ステップＳ１２８０で、以前にメッセージが送信された端末装置ＵＥは、ステップＳ１２３０で受信した署名及びマッピング情報と、ステップＳ１２７０で受信したフィードバック信号グループとに応じて、自信に対するＡＣＫ／ＮＡＣＫフィードバック信号を得ることができる。以前にメッセージを送信していない端末装置ＵＥは、フィードバック信号グループを受信してもそれを処理しない。
【００６０】
特に、新しい端末装置ＵＥがセルにアクセスする場合に、基地局ｇＮＢは、それとランダムアクセス手順を行う際にそれに署名を割り当てて、且つ、ランダムアクセス手順の後、当該端末装置ＵＥに、フィードバック信号グループの長さ、及びマッピング情報を通知し、当該マッピング情報は、当該端末装置ＵＥの署名と、当該に端末装置ＵＥに対するＡＣＫ／ＮＡＣＫフィードバック信号のフィードバック信号グループにおける位置とのマッピング関係を指示する。その後、当該新しくアクセスした端末装置ＵＥは、図１２のステップＳ１２４０〜Ｓ１２８０の流れに参与することができる。また、端末装置ＵＥがセルから離脱した場合、基地局ｇＮＢは、フィードバック信号グループにおける、離脱した端末装置ＵＥの署名に対応する位置を、将来セルにアクセスされる端末装置に割り当ててもよい。なお、新しい端末装置がセルにアクセスする又はセルから離脱した場合に、基地局は、マッピング情報における、当該変化した端末装置に関する部分のみを配置し、他の端末装置に関するマッピング関係を変更しないことにより、再配置のためのシグナリングオーバーヘッドを低減することができる。
【００６１】
暗黙的マッピングに関して、上記のように図１２を参照してフィードバック信号グループの長さが一定である場合のシグナリングフローについて記述し、以下、図１３を参照して、フィードバック信号グループの長さが可変である場合のシグナリングインタラクションの流れについて記述する。
【００６２】
図１３に示すように、基地局ｇＮＢは、ステップＳ１３１０で、セルにおいて現在アクセスされている端末装置の数及び端末装置の数の変化傾向に基づいて、フィードバック信号グループの長さを確定し、それに対応して、マッピング情報を生成する。例えば、基地局ｇＮＢは、フィードバック信号グループの長さを、現在アクセスされている端末装置の数に一定の調整値を加えたものに設置してもよく、当該調整値は、端末装置の数の変化傾向に基づいて確定されてもよく、将来、一定の期間帯においてセルにアクセスされる端末装置にフィードバック信号グループにおける位置を予約するために用いられる。生成したマッピング情報は、各端末装置ＵＥの署名と、各端末装置に対する各フィードバック信号のフィードバック信号グループにおける位置とのマッピング関係を指示する。その後、基地局ｇＮＢは、ステップＳ１３２０で、現在セルにアクセスされている各端末装置ＵＥにフィードバック信号グループの長さをブロードキャストし、ステップＳ１３３０で、各端末装置ＵＥに、それに割り当てられた署名及び生成したマッピング情報を通知する。なお、図１３に、基地局ｇＮＢは、それぞれステップＳ１３２０及びステップＳ１３３０で、各端末装置ＵＥにフィードバック信号グループの長さ及びマッピング情報を通知することを示したが、基地局ｇＮＢは、フィードバック信号グループの情報の長さ及びマッピング情報を併せて一つのシグナリングにより各端末装置ＵＥに送信してもよい。
【００６３】
その後、ステップＳ１３４０に示すように、セルにおける若干の端末装置ＵＥはそれぞれ基地局ｇＮＢにメッセージを送信し、基地局ｇＮＢは、ステップＳ１３５０で、受信した複数のメッセージに対して、複数のＡＣＫ／ＮＡＣＫフィードバック信号をそれぞれ生成し、そして、ステップＳ１３６０で、マッピング情報に応じて、当該複数のＡＣＫ／ＮＡＣＫフィードバック信号を含むフィードバック信号グループを生成する。具体的に、基地局ｇＮＢは、マッピング情報に指示された対応関係に応じて、メッセージが送信された各端末装置ＵＥに対するＡＣＫ／ＮＡＣＫフィードバック信号を、フィードバック信号グループにおける、当該端末装置ＵＥの署名に対応する位置にセットする。メッセージを送信しない端末装置ＵＥについて、基地局ｇＮＢは、その署名に対応する位置に任意のデータをセットする。これにより、基地局ｇＮＢはフィードバック信号グループを生成することができる。そして、基地局ｇＮＢは、ステップＳ１３７０で、生成したフィードバック信号グループを、現在アクセスされているセルの各端末装置ＵＥに送信する。ステップＳ１３８０で、以前にメッセージが送信された端末装置ＵＥは、ステップＳ１３３０にて受信したマッピング情報、及びステップＳ１３７０にて受信したフィードバック信号グループに応じて、自身に対するＡＣＫ／ＮＡＣＫフィードバック信号を得ることができる。以前にメッセージを送信しない端末装置ＵＥはフィードバック信号グループを受信しても、それを処理しない。
【００６４】
そして、例えば、一定の時間が経過すると、セルの端末装置ＵＥの数は変化することがあるため、基地局ｇＮＢは、セルに現在アクセスされている端末装置の数、端末装置の数の変化傾向に基づいて、新しいフィードバック信号グループの長さを再度確定し、新しいマッピング情報を生成し、ステップＳ１３９０に示す。そして、基地局ｇＮＢは、ステップＳ１４００及びＳ１４１０で、セルにおいて現在アクセスされている各端末装置ＵＥに、新しいフィードバック信号グループの長さ、及び新しいマッピング情報を通知する。以降の流れは、ステップＳ１３４０〜Ｓ１３８０と類似するので、ここで、重複しない。
【００６５】
この例において、基地局ｇＮＢは、現在セルにアクセスされている端末装置ＵＥの数に基づいて、フィードバック信号グループの長さ、及び相応するマッピング情報を周期的に配置することができる。現在セルにアクセスされている端末装置ＵＥの数がセルにおいてアクセス可能な端末装置ＵＥの最大数よりも小さい可能性があるので、図１２に示す例と比べて、この例におけるＡＣＫ／ＮＡＣＫフィードバック信号グループの長さは短くなる可能性があり、これにより、端末装置によるＡＣＫ／ＮＡＣＫフィードバック信号グループの復号の複雑さを低減することができる。
【００６６】
特に、基地局ｇＮＢは、既にフィードバック信号グループの長さを確定し、且つマッピング情報を生成した後、新しい端末装置ＵＥがセルにアクセスする場合、基地局ｇＮＢは、当該端末装置ＵＥとランダムアクセス手順を行う際にそれに署名を割り当てて、且つランダムアクセス手順の後、それに、現在のフィードバック信号グループの長さ、及びその署名に対応するＡＣＫ／ＮＡＣＫフィードバック信号の位置を通知してもよい。なお、基地局ｇＮＢは、現在のフィードバック信号グループにおいて当該端末装置ＵＥにＡＣＫ／ＮＡＣＫフィードバック信号の位置を割り当てて、他の既存の端末装置の位置のマッピング関係を変更しないことができ、これにより、既存の端末装置への影響を最小限に抑えることができ、シグナリングオーバーヘッドを低減する。続いて、新しくアクセスされた端末装置ＵＥは、図１３のステップＳ１３４０〜Ｓ１３８０の流れに参与することができる。
【００６７】
ＡＣＫ／ＮＡＣＫフィードバックメカニズムにおいて、同一の端末装置ＵＥが既に異なる伝送リソースで複数のアップリンクデータパケットを送信した場合を考慮する必要がある。この場合、異なるリソースで伝送している複数のデータパケットと、基地局が当該複数のデータパケットに対して送信した複数のＡＣＫ／ＮＡＣＫフィードバック信号グループとの対応関係を確定するかという問題を解決する必要がある。この問題に対して、本発明は、伝送に用いられる各アップリンクデータパケットのリソースと、当該データパケットに対するフィードバック信号グループを伝送するためのリソースとの間に一定の関係を有し、且つこの固定関係は、基地局が予め規定されランダムアクセス手順において端末装置に通知することを提案する。これにより、端末装置は、当該固定関係に応じて、相応するリソース上で、それによって送信されたデータパケットに対応するフィードバック信号グループを検出し、さらに、相応するフィードバック信号グループにおいて当該データパケットに対するＡＣＫ／ＮＡＣＫフィードバック信号を得ることができる。
【００６８】
図１４にアップリンクデータパケット伝送リソースと、相応するフィードバック信号グループ伝送リソースとの固定関係の一例を示す。図１４に示すように、ある一つの端末装置が異なるリソースを利用して第１のデータパケットＤ１、第２のデータパケットＤ２、第３のデータパケットＤ３を送信したと仮定する。第１のデータパケットＤ１に対応する第１のフィードバック信号グループＡ１（即ち、第１のフィードバック信号グループＡ１に第１のデータパケットＤ１に対するＡＣＫ／ＮＡＣＫフィードバック信号を含む）が以下のリソース上で伝送されることを規定し、当該リソースは周波数領域で第１のデータパケットＤ１を送信する物理リソースブロック（ＰＲＢ）と同じなＰＲＢを占め、時間領域で第１のデータパケットＤ１を送信するサブフレームの後の四番目サブフレームに位置し、その中、例えば、各ＰＲＢは１２＊１５ＫＨｚ＝１８０ＫＨｚであってもよい。同じ形態で、第２のデータパケットＤ２を送信するリソースに応じてそれに対応する第２のフィードバック信号グループＡ２の伝送リソースを規定し、第３のデータパケットＤ３を送信するリソースに応じてそれに対応する第３のフィードバック信号グループＡ３の伝送リソースを規定してもよい。
【００６９】
予め、アップリンクデータパケット伝送リソースと、相応するフィードバック信号グループ伝送リソースとの間を規定することにより、端末装置は、相応するリソース上でそれによって送信された各データパケットに対応する各フィードバック信号グループを容易に検出することができる。なお、図１４に、ただ、このような固定関係の一つの具体的例を示したが、本発明はこれに限定せず、当業者であれば、実際の必要に応じて様々なスキームを容易に設計し、端末装置は各データパケットに対応するフィードバック信号グループを認識できるようにする。
【００７０】
以下、図１５、図１６と合わせて、本発明による基地局及び端末装置の機能構成について記述する。図１５に、本発明による基地局の概略的ブロック図を示す。
【００７１】
図１５に示すように、基地局１５００は、処理ユニット１５１０と、記憶ユニット１５２０と、送受信ユニット１５３０とを含む。記憶ユニット１５２０は、処理ユニット１５１０が処理を実行する際に必要なデータ、及び処理を実行することで生成したデータなどを記憶するために用いられ、且つ処理ユニット１５１０によって実行されるプログラムを記憶してもよい。送受信ユニット１５３０は、端末装置への信号の送信、及び端末装置からの信号の受信のために用いられる一つ又は複数のアンテナを含む。
【００７２】
処理ユニット１５１０は、リソースグループ確定ユニット１５１１と、リソース関連情報生成ユニット１５１２と、伝送回数確定ユニット１５１３と、マッピング情報生成ユニット１５１４と、フィードバック情報生成ユニット１５１５とをさらに含む。
【００７３】
リソースグループ確定ユニット１５１１はアップリンクデータの初回伝送及び再送に用いられる複数のリソースグループを確定し、データの再送回数の増加につれて、対応するリソースグループに含まれるリソース量が減少する。リソースグループ確定ユニット１５１１は、時間領域リソース、周波数領域リソース、時間・周波数領域リソース、符号領域リソース、空間領域リソースなどに基づいて複数のリソースグループを確定してもよく、周波数ホッピングにより複数のリソースグループを確定してもよく、干渉防止性能及びフェージング防止性能を高める。そして、リソースグループ確定ユニット１５１１は、複数のリソースグループと、データの各伝送との対応関係を指示するためのリソースグループ化情報を生成し、送受信ユニット１５３０を介して端末装置に送信する。
【００７４】
また、ネットワーク負荷又はチャネル品質が変化した場合、リソースグループ確定ユニット１５１１はリソースグループを再配置してもよく、例えば、リソースグループの数或いは各リソースグループに含まれるリソース量を変更し、更新されたリソースグループ化情報を生成し端末装置に送信する。
【００７５】
リソース関連情報生成ユニット１５１２は、アップリンクデータのある一回の伝送に用いられるリソースと、当該データの前回伝送に用いられたリソースとの関連性を設置するとともに、リソース関連情報を生成し、送受信ユニット１５３０を介して端末装置に送信する。また、リソース関連情報生成ユニット１５１２は、ネットワーク負荷又はチャネル品質の変化に応じて、当該関連性を再設置し、更新されたリソース関連情報を生成してもよい。
【００７６】
伝送回数確定ユニット１５１３は、端末装置からのアップリンクデータを受信した場合に、当該アップリンクデータを送信するために用いられるリソースグループを認識することにより、当該アップリンクデータの伝送回数を確定する。特に、リソースグループ確定ユニット１５１１が生成したリソースグループ化情報は、記憶ユニット１５２０に記憶されてもよく、伝送回数確定ユニット１５１３は、記憶されているリソースグループ化情報を参照してアップリンクデータの伝送回数を確定してもよい。
【００７７】
マッピング情報生成ユニット１５１４は、マッピング情報を生成し、送受信ユニット１５３０を介して端末装置に送信し、当該マッピング情報は、フィードバック信号グループに含まれる複数のＡＣＫ／ＮＡＣＫフィードバック信号が位置する位置と、複数の端末装置とのマッピング関係を指示する。生成したマッピング情報は、記憶ユニット１５２０に記憶されてもよい。また、セルにおける端末装置の変化に応じて、マッピング情報生成ユニット１５１４は当該マッピング関係を生成し、更新されたマッピング情報を生成してもよい。
【００７８】
本発明による一例において、フィードバック情報生成ユニット１５１５は、各端末装置からのメッセージに対してＡＣＫ／ＮＡＣＫフィードバック信号を生成する。生成したＡＣＫ／ＮＡＣＫフィードバック信号は、当該端末装置に対するＤＣＩにおいて付加する１ビットによりキャリアされる。従って、ＰＤＣＣＨ上で伝送されるＤＣＩにより、生成したＡＣＫ／ＮＡＣＫフィードバック信号を対応する端末装置に送信してもよい。
【００７９】
本発明による他の一例において、フィードバック情報生成ユニット１５１５は、複数の端末装置が同一のリソース上で送信する複数のメッセージに対して、複数のＡＣＫ／ＮＡＣＫフィードバック信号それぞれ生成するとともに、記憶ユニット１５２０に記憶されているマッピング情報に応じて、各端末装置に対するＡＣＫ／ＮＡＣＫ信号を、フィードバック信号グループのうち当該端末装置に対応する位置にセットすることにより、当該複数のＡＣＫ／ＮＡＣＫフィードバック信号を含むフィードバック信号グループを生成する。生成されたフィードバック信号グループは送受信ユニット１５３０を介して当該複数の端末装置に送信される。
【００８０】
図１６に本発明による端末装置の概略的なブロック図を示す。
【００８１】
図１６に示すように、端末装置１６００は、処理ユニット１６１０と、記憶ユニット１６２０と、送受信ユニット１６３０とを含むことできる。記憶ユニット１６２０は、処理ユニット１６１０が処理を実行する際に必要なデータ、処理を実行することで生成するデータなどを記憶し、処理ユニット１６１０によって実行されるプログラムを記憶してもよい。送受信ユニット１６３０は、基地局に信号を送信し、基地局からの信号を受信するためのアンテナを含む。
【００８２】
処理ユニット１６１０は、リソースグループ確定ユニット１６１１と、リソース選択ユニット１６１２と、フィードバック信号確定ユニット１６１３とをさらに含む。
【００８３】
端末装置１６００は、送受信ユニット１６３０を介して基地局からリソースグループ化情報及び／又はリソース関連情報を受信し、受信した情報は、記憶ユニット１６２０に記憶されてもよい。リソースグループ確定ユニット１６１１は、受信したリソースグループ化情報に応じてデータの初回伝送及び再送に用いられる各リソースグループを確定する。
【００８４】
本発明による一例において、データのある伝送に対して、リソース選択ユニット１６１２は、まず、今回の伝送に用いられるリソースグループを選択し、次に、選択したリソースグループからリソースをランダムに選択してデータを送信する。
【００８５】
本発明による他の一例において、データのある伝送に対して、リソース選択ユニット１６１２は、まず、今回の再送に用いられるリソースグループを選択し、次に、記憶ユニット１６２０に記憶されているリソース関連情報、及び前回の伝送によって使用されたリソースを選択し、選択したリソースグループから一つ又は複数の利用可能なリソースを確定し、その後、確定した利用可能なリソースから、データを送信するためのリソースをランダムに選択する。
【００８６】
また、端末装置１６００は送受信ユニット１６３０を介して基地局に情報を送信した後、基地局から、当該メッセージに対して生成したＡＣＫ／ＮＡＣＫフィードバック信号（フィードバック信号グループに含まれる）、及びマッピング情報マッピング情報を受信し、当該マッピング情報は、端末装置１６００を含む複数の端末装置と、相応するＡＣＫ／ＮＡＣＫフィードバック信号のフィードバック信号グループにおける位置とのマッピング関係を受信する。受信したフィードバック信号グループ及びマッピング情報は、記憶ユニット１６２０に記憶されてもよい。
【００８７】
フィードバック信号確定ユニット１６１３は、マッピング情報に応じて、複数のＡＣＫ／ＮＡＣＫフィードバック信号を含むフィードバックグループから端末装置１６００に対応する位置において端末装置１６００によって送信されたメッセージに対応するＡＣＫ／ＮＡＣＫフィードバック信号を取得する。
【００８８】
本発明は各種の製品に応用できる。例えば、上記実施例における基地局又はネットワーク側装置は任意のタイプの進化型ノードＢ（ｅＮＢ）、例えばマクロｅＮＢとスモールｅＮＢを含んでもよい。スモールｅＮＢはマクロセルより小さいセルをカバーするｅＮＢ、例えばピコファラドｅＮＢ、マイクロｅＮＢ、ホーム（フェムト）ｅＮＢであってもよい。代わりに、当該ネットワーク側装置及び基地局は、任意の他のタイプの基地局、例えばＮｏｄｅＢとベーストランシーバ基地局（ＢＴＳ）を含んでもよい。基地局は、無線通信を制御するように配置される本体（基地局デバイスとも称する）と、本体と異なる箇所に設置される一つ又は複数のリモート無線ヘッド（ＲＲＨ）とを含んでもよい。また、各種のタイプの端末は、基地局機能を一時又は半恒久的に実行することにより基地局として作動する。
【００８９】
一方、上記実施例における端末装置又はユーザー機器は通信端末装置（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えば自動車ナビゲーション装置）として実現されることが可能であり、マシンツーマシン（Ｍ２Ｍ）通信を実行する端末（マシン型通信（ＭＴＣ）端末とも称する）として実現されることも可能である。また、当該端末装置又はユーザー機器は、上記端末における端末ごとに取り付けられた無線通信モジュール（例えば単一のチップを含む集成回路モジュール）であってもよい。
【００９０】
図１７に合わせて、スマートフォンを例として、端末装置の実現を記述する。
【００９１】
図１７は、スマートフォンの概略的な構成のブロック図を示す。図１７に示すように、スマートフォン２５００は、プロセッサー２５０１、メモリ２５０２、記憶装置２５０３、外部接続インタフェース２５０４、撮像装置２５０６、センサ２５０７、マイクロホン２５０８、入力装置２５０９、表示装置２５１０、スピーカー２５１１、無線通信インタフェース２５１２、一つ又は複数のアンテナスイッチ２５１５、一つ又は複数のアンテナ２５１６、バス２５１７、バッテリ２５１８及び補助コントローラー２５１９を含む。
【００９２】
プロセッサー２５０１は例えばＣＰＵ又はＳｏＣであってもよく、スマートフォン２５００のアプリケーション層とその他の層の機能を制御する。メモリ２５０２はＲＡＭとＲＯＭを含み、データと、プロセッサ２５０１により実行されるプログラムを記憶する。記憶装置２５０３は記憶媒体、例えば半導体メモリとハードディスクを含んでもよい。外部接続インタフェース２５０４は、外部装置（例えば、メモリカードとユニバーサル・シリアル・バス（ＵＳＢ）装置）をスマートフォン２５００に接続するためのインタフェースである。
【００９３】
撮像装置２５０６が画像センサ（例えば、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ２５０７は例えば、測定センサ、ジャイロセンサ、地磁気センサ及び加速度センサなどのセンサグループを含んでもよい。マイクロフォン２５０８はスマートフォン２５００に入力された音声を音声信号に変換する。入力装置２５０９は例えば表示装置２５１０のスクリーン上のタッチを検出するように配置されるタッチセンサ、キーパッド、キーボード、ボタン又はスイッチを含み、ユーザーから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカ２５１１はスマートフォン２５００から出力された音声信号を音声に変換する。
【００９４】
無線通信インタフェース２５１２は任意のセルラー通信方式（例えばＬＴＥ、ＬＴＥ−Ａｄｖａｎｃｅｄ）をサポートし、無線通信を実行する。無線通信インタフェース２５１２は、一般に、例えばＢＢプロセッサ２５１３とＲＦ回路２５１４とを含んでもよい。ＢＢプロセッサ２５１３は例えば符号化／復号化、変調／復調及び多重化／逆多重化を実行してもよく、無線通信のための様々な信号処理を実行する。一方、ＲＦ回路２５１４は例えばミキサ、フィルタ及びアンプを含んでもよく、アンテナ２５１６を介して無線信号を送受信する。無線通信インタフェース２５１２はＢＢプロセッサ２５１３とＲＦ回路２５１４を集積した一つのチップモデルであってもよい。図１９に示すように、無線通信インタフェース２５１２は複数のＢＢプロセッサ２５１３と複数のＲＦ回路２５１４を含んでもよい。図１７は無線通信インタフェース２５１２が複数のＢＢプロセッサ２５１３と複数のＲＦ回路２５１４を含む例を示したが、無線通信インタフェース２５１２は単一のＢＢプロセッサ２５１３又は単一のＲＦ回路２５１４を含んでもよい。
【００９５】
また、セルラー通信方式を除き、無線通信インタフェース２５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよく。この場合、無線通信インタフェース２５１２は無線通信方式ごとのＢＢプロセッサ２５１３とＲＦ回路２５１４を含んでもよい。
【００９６】
アンテナスイッチ２５１５の各々は、無線通信インタフェース２５１２に含まれる複数の回路（例えば、異なる無線通信方式のための回路）の間にアンテナ２５１６の接続先を切り替える。
【００９７】
アンテナ２５１６の各々は単一の又は複数のアンテナ素子（例えば、ＭＩＭＯアンテナに含まれる複数のアンテナ素子）を含み、無線通信インタフェース２５１２による無線信号の送受信のために用いられる。図１７に示すように、スマートフォン２５００は複数のアンテナ２５１６を含んでもよい。スマートフォン２５００は単一のアンテナ２５１６を含んでもよい。
【００９８】
また、スマートフォン２５００は無線通信方式ごとにアンテナ２５１６を含んでもよい。この場合、アンテナスイッチ２５１５はスマートフォン２５００の構成から省略されてもよい。
【００９９】
バス２５１７は、プロセッサ２５０１、メモリ２５０２、記憶装置２５０３、外部接続インタフェース２５０４、撮像装置２５０６、センサ２５０７、マイクロフォン２５０８、入力装置２５０９、表示装置２５１０、スピーカ２５１１、無線通信インタフェース２５１２及び補助コントローラ２５１９を互いに接続する。バッテリー２５１８は図中に破線で部分的に示した支線を介してスマートフォン２５００の各ブロックに電力を供給する。補助コントローラ２５１９は例えば、スリープモードにおいて、スマートフォン２５００の必要最低限の機能を動作させる。
【０１００】
図１７にスマートフォン２５００において、端末装置の送受信装置は、無線通信インタフェース２５１２により実現されてもよい。端末装置の各ユニットの機能の少なくとも一部は、プロセッサ２５０１又は補助コントローラー２５１９により実現されてもよい。例えば、補助コントローラー２５１９がプロセッサ２５０１の一部の機能を実行することでバッテリ２５１８の電力消費を低減させてもよい。また、プロセッサ２５０１又は補助コントローラー２５１９は、メモリ２５０２あるいは記憶装置２５０３に記憶されているプログラムを実行することで、端末装置の各ユニットの機能の少なくとも一部を実行してもよい。
【０１０１】
図１８に合わせて、ｅＮＢを例として、基地局の実現を記述する。
【０１０２】
図１８はｅＮＢの概略的な構成のブロック図を示している。図１８に示すように、ｅＮＢ２３００は一つ又は複数のアンテナ２３１０及び基地局デバイス２３２０を含む。基地局デバイス２３２０と各アンテナ２３１０はＲＦケーブルを介して互いに接続されてもよい。
【０１０３】
アンテナ２３１０の各々は、単一の又は複数のアンテナ素子（例えば、多入力多出力（ＭＩＭＯ）アンテナに含まれる複数のアンテナ素子）を含み、基地局装置２３２０による無線信号の送受信のために用いられる。ｅＮＢ２３００は、図１８に示すように、複数のアンテナ２３１０を含んでもよい。複数のアンテナ２３１０は、例えばｅＮＢ２３００が使用する複数の周波数帯域に共用してもよい。なお、図１８に、ｅＮＢ２３００が複数のアンテナ２３１０を含む例を示したが、ｅＮＢ２３００は単一のアンテナ２３１０を含んでもよい。
【０１０４】
基地局デバイス２３２０は、コントローラ２３２１、メモリ２３２２、ネットワークインタフェース２３２３、及び無線通信インタフェース２３２５を含む。
【０１０５】
コントローラ２３２１は、例えばＣＰＵ又はＤＳＰであってよく、基地局デバイス２３２０の上位レイヤの様々な機能を操作する。例えば、コントローラ２３２１は、無線通信インタフェース２３２５により処理された信号におけるデータからデータパケットを生成し、ネットワークインタフェース２３２３を介して生成したパケットを転送する。コントローラ２３２１は、複数のベースバンドプロセッサからのデータをバンドリングすることによりバンドルドパケットを生成し、生成したバンドルドパケットを転送してもよい。また、コントローラ２３２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ２３２２は、ＲＡＭ及びＲＯＭを含み、コントローラ２３２１により実行されるプログラム、及び様々な制御データ（例えば、端末リスト、伝送電力データ及びスケジューリングデータなど）を記憶する。
【０１０６】
ネットワークインタフェース２３２３は基地局デバイス２３２０をコアネットワーク２３２４に接続するための通信インタフェースである。コントローラ２３２１はネットワークインタフェース２３２３を介してコアネットワークノード又は他のｅＮＢと通信してもよい。この場合、ｅＮＢ２３００とコアネットワークノード又は他のｅＮＢとはロジックインタフェース（例えばＳ１インタフェースとＸ２インタフェース）により互いに接続される。ネットワークインタフェース２３２３は有線通信インタフェース、又は無線バックホールのための無線通信インタフェースであってもよい。ネットワークインタフェース２３２３が無線通信インタフェースであると、ネットワークインタフェース２３２３は無線通信インタフェース２３２５により使用される周波数帯域よりも高い周波数帯域を無線通信に使用してもよい。
【０１０７】
無線通信インタフェース２３２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ２３１０を介して、ｅＮＢ２３００のセル内に位置する端末までの無線接続を提供する。無線通信インタフェース２３２５は、一般、ベースバンド（ＢＢ）プロセッサ２３２６及びＲＦ回路２３２７を含んでもよい。ＢＢプロセッサ２３２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行してもよい。コントローラ２３２１の代わりに、ＢＢプロセッサ２３２６は上記ロジック機能の一部又は全部を有してもよい。ＢＢプロセッサ２３２６は通信制御プログラムを記憶するメモリであってもよく、又はプログラムを実行するように配置されるプロセッサ及び関連する回路を含むモデルであってもよい。ＢＢプロセッサ２３２６の機能はプログラムの更新により変更可能であってもよい。当該モデルは基地局デバイス２３２０のスロットに挿入されるカード若しくはブレードであってもよい。代わりに、当該モデルはカード若しくはブレードに搭載されるチップであってもよい。一方、ＲＦ回路２３２７は例えばミキサ、フィルタ及びアンプを含んでもよく、アンテナ２３１０を介して無線信号を送受信する。
【０１０８】
図１８に示すように、無線通信インタフェース２３２５は複数のＢＢプロセッサ２３２６を含んでもよい。例えば、複数のＢＢプロセッサ２３２６はｅＮＢ２３００が使用する複数の周波数帯域に共用されてもよい。図２０に示すように、無線通信インタフェース２３２５は複数のＲＦ回路２３２７を含んでもよい。例えば、複数のＲＦ回路２３２７は複数のアンテナ素子に共用されてもよい。図１８は無線通信インタフェース２３２５に複数のＢＢプロセッサ２３２６と複数のＲＦ回路２３２７とを含む例を示したが、無線通信インタフェース２３２５は単一のＢＢプロセッサ２３２６又は単一のＲＦ回路２３２７を含んでもよい。
【０１０９】
図１８に示すｅＮＢ２３００において、基地局装置の送受信装置は、無線通信インタフェース２３２５により実現されてもよい。それぞれのユニットの機能の少なくとも一部は、コントローラー２３２１により実現されてもよい。例えば、コントローラー２３２１は、メモリ２３２２に記憶されているプログラムを実行することでそれぞれのユニットの機能の少なくとも一部を実行してもよい。
【０１１０】
なお、本文で記述されたそれぞれの装置又はユニットは論理的であり、必ずしも、物理デバイス又はコンポーネントに厳しく対応しない。例えば、本文で記述されたそれぞれのユニットの機能は複数の物理エンティティにより実現されてもよく、又は、本文で記述された複数のユニットの機能は単一の物理エンティティにより実現されてもよい。なお、一つの実施例に記述された特徴、部品、元素、ステップなどは当該実施例に限定されず、他の実施例に応用することもでき、他の実施例における特定の特徴、部品、要素、ステップの代わりに、それらと組合せる。
【０１１１】
また、上記の実施例においてそれぞれのデバイス又はユニットによる一連の処理は、ソフトウェア、ハードウェア、及びソフトウェアとハードウェアとの組合せにより実現されてもよい。ソフトウェアに含まれているプログラムは、例えば、それぞれのデバイスの内部又は外部に設けられる記憶媒体に予め格納され得る。例として、これらのプログラムは、実行中、ＲＡＭに書き込まれ、プロセッサ（例えばＣＰＵ）により実行されることで、上記実施例で記述された処理を実現する。本発明は、このようなプログラムコード、プログラム製品、その中に当該プログラムコードを記録したコンピューターで読み取り可能な媒体を含む。
【０１１２】
図１９に、プログラムに従って本発明のスキームを実行するコンピュータのハードウェアの概略的構成のブロック図を示している。
【０１１３】
コンピュータ１９００において、中央処理装置１９０１、ＲＯＭ１９０２及びＲＡＭ１９０３はバス１９０４を介して互いに接続されている。
【０１１４】
入出力インターフェース１９０５もバス１９０４に接続されている。入出力インターフェース１９０５には、キーボード、マウス、マイク等からなる入力部１９０６、ディスプレイ、スピーカ等からなる出力部１９０７、ハードディスク、不揮発性のメモリなどからなる記憶部１９０８、ネットワークインターフェースカード（例えばＬＡＮカード、モデム等）などからなる通信部１９０９、磁気ディスク、光ディスク、光磁気ディスク、又は半導体メモリなどのリムーバブルメディア１９１１を駆動するドライブ１９１０が接続されている。
【０１１５】
以上の構造を有するコンピュータでは、ＣＰＵ１９０１が、例えば、記憶部１９０８に記憶されているプログラムを、入出力インターフェース１９０５及びバス１９０４を介して、ＲＡＭ１９０３にロードして実行することにより、上述した一連の処理を実行する。
【０１１６】
コンピュータ（ＣＰＵ１９０１）が実行するプログラムは、パッケージメディアとしてのリムーバブルメディア１９１１に記録してもよく、当該パッケージメディアは、例えば、磁気ディスク（フロッピーディスクを含む）、光ディスク（光ディスク読取専用メモリ（ＣＤ−ＲＯＭ）とデジタル多用途ディスク（ＤＶＤ）を含む）、光磁気ディスク、半導体メモリで構成されてもよい。また、コンピュータ（ＣＰＵ１９０１）が実行するプログラムは、例えば、ローカルエリアネットワーク、インターネット、デジタル衛星放送といった、有線又は無線の伝送媒体を介して提供してもよい。
【０１１７】
プログラムは、リムーバブルメディア１９１１をドライブ１９１０に装着する際に、入出力インターフェース１９０５を介して、記憶部１９０８にインストールすることができる。また、プログラムは、有線又は無線の伝送媒体を介して、通信部１９０９で受信され、記憶部１９０１９にインストールしてもよい。オプジョンとして、プログラムは、ＲＯＭ１９０２や記憶部１９０１９に、あらかじめインストールしておくことができる。
【０１１８】
なお、コンピュータが実行するプログラムは、本明細書で説明する順序に沿って処理が実行されるプログラムであってもよいし、並列に、あるいは必要がある際（例えば呼び出しの際）で処理が実行されるプログラムであっても良い。
【０１１９】
以上に図面に基づいて本発明の実施例及び技術的効果を詳細に記述したが、本発明の範囲はこれに限定されない。当業者は、設計要求と他の要素に依存し、本発明の原理と精神から逸脱しない状態で、本文に検討する実施形態を修正、変化すると理解される。本発明の範囲は、添付した請求の範囲又は均等案により限定される。
【０１２０】
また、本発明は、以下のように配置することができる。
処理回路を含む無線通信に用いられる電子機器であって、前記処理回路は、アップリンク伝送の初回伝送及び再送に対して、異なるリソースをそれぞれ配置し、リソース指示情報を生成するように配置されており、前記リソース指示情報は、前記異なるリソースと、前記アップリンク伝送の初回伝送及び再送との対応関係を指示する電子機器。
【０１２１】
プログラムコードが記憶されたコンピュータ読み取り可能な記憶媒体であって、当該プログラムコードがプロセッサーによって実行される場合に、当該プロセッサーに、アップリンク伝送の初回伝送及び再送に対して、異なるリソースをそれぞれ配置し、リソース指示情報を生成する、ように配置させており、前記リソース指示情報は、前記異なるリソースと、前記アップリンク伝送の初回伝送及び再送との対応関係を指示するプログラムコードが記憶されたコンピュータ読み取り可能な記憶媒体。
【０１２２】
処理回路を含む無線通信に用いられる電子機器であって、前記処理回路は、アップリンク伝送の初回伝送及び再送にそれぞれ用いられる複数のリソースグループを確定し、リソースグループ化情報を生成するように配置されており、前記リソースグループ化情報は、前記複数のリソースグループと、前記複数のリソースグループを使用する初回伝送及び再送との対応関係を指示する電子機器。
【０１２３】
なお、前記処理回路は、さらに、時間領域リソース、周波数領域リソース、時間・周波数領域リソース、符号領域リソース及び空間領域リソースのうちの一つに基づいて、前記複数のリソースグループを確定するように配置されている。
【０１２４】
なお、前記処理回路は、さらに、周波数ホッピングにより、前記複数のリソースグループを確定するように配置されている。
【０１２５】
なお、前記処理回路は、さらに、ネットワーク負荷、チャネル品質、及びサービス優先度のうちの少なくとも一つに応じて、前記リソースグループの数及び各リソースグループに含まれるリソース量を配置するように配置されている。
【０１２６】
なお、前記処理回路は、さらに、前記アップリンク伝送の初回伝送及び再送に対して、それぞれ異なるリソース量が含まれる前記複数のリソースグループを確定するように配置されている。
【０１２７】
なお、前記処理回路は、さらに、前記アップリンク伝送によって使用されるリソースグループを認識し、認識されたリソースグループに応じて、前記アップリンク伝送の伝送回数を確定する、ように配置されている。
【０１２８】
なお、前記処理回路は、さらに、リソース関連情報を生成するように配置されており、前記リソース関連情報は、いずれか１回のアップリンク伝送に用いられるリソースグループにおける一つ又は複数のリソースを前回のアップリンク伝送に用いられたリソースに関連付けることを指示する。
【０１２９】
なお、前記処理回路は、さらに、ネットワーク負荷、及びチャネル品質のうちの少なくとも一つに応じて、前記リソース関連情報を設置するように配置されている。
【０１３０】
ネットワーク装置によって実行される通信方法であって、アップリンク伝送の初回伝送及び再送にそれぞれ用いられる複数のリソースグループを確定し、リソースグループ化情報を生成し、前記リソースグループ化情報を端末装置に送信し、前記アップリンク伝送によって使用されるリソースグループに応じて、前記アップリンク伝送の伝送回数を確定する、ことを含んでおり、前記リソースグループ化情報は、前記複数のリソースグループと、前記複数のリソースグループを使用する初回伝送及び再送との対応関係を指示する通信方法。
【０１３１】
なお、処理回路を含む無線通信に用いられる電子機器であって、前記処理回路は、リソースグループ化情報に応じて、アップリンク伝送の初回伝送及び再送にそれぞれ用いられる複数のリソースグループを確定し、前記アップリンク伝送の１回の伝送に対して、確定された今回の伝送に用いられるリソースグループから、今回の伝送に用いられるリソースを選択する、ように配置されている電子機器。
【０１３２】
なお、前記処理回路は、さらに、今回の伝送に用いられるリソースグループから、今回の伝送に用いられるリソースをランダムに選択する、ように配置されている。
【０１３３】
なお、前記処理回路は、さらに、リソース関連情報に応じて、今回の伝送に用いられるリソースグループにおいて、今回の伝送に用いられる利用可能なリソースとして、前回のアップリンク伝送に用いられたリソースに関連付けるリソースを確定し、前記利用可能リソースプールから、今回の伝送に用いられるリソースをランダムに選択する、ように配置されており、前記リソース関連情報は、いずれか１回のアップリンク伝送に用いられるリソースグループにおける一つ又は複数のリソースを前回のアップリンク伝送に用いられたリソースに関連付けることを指示する。
【０１３４】
処理回路を含む、複数の通信装置と無線通信を行うための電子機器であって、前記処理回路は、前記複数の通信装置からの複数のメッセージに対して、複数のフィードバック信号をそれぞれ生成し、前記複数のフィードバック信号を、単一の時間・周波数領域リソース上に配置して、前記複数の通信装置にフィードバックする、ように配置されている電子機器。
【０１３５】
なお、前記処理回路は、さらに、前記複数のフィードバック信号を含むフィードバック信号グループを生成し、前記フィードバック信号グループを利用して前記複数のフィードバック信号を前記複数の通信装置にフィードバックするように配置されており、前記処理回路は、さらに、各通信装置に対して、マッピング情報に応じて、前記通信装置に対するフィードバック信号を、前記フィードバック信号グループにおける前記通信装置に対応する位置に配置する、ように配置されており、前記マッピング情報は、各通信装置と、各通信装置に対する各フィードバック信号の前記フィードバック信号グループにおける位置との対応関係を指示する。
【０１３６】
なお、前記処理回路は、さらに、前記マッピング情報を生成し、且つ前記マッピング情報を前記複数の通信装置に通知するように制御する、ように配置されている。
【０１３７】
なお、前記マッピング情報は、各通信装置の識別子又は署名と、各フィードバック信号の前記フィードバック信号グループにおける位置との対応関係を指示する。
【０１３８】
なお、前記フィードバック信号グループに含まれるフィードバック信号の数は一定である。
【０１３９】
なお、前記フィードバック信号グループに含まれるフィードバック信号の数は、前記電子機器と通信可能な前記通信装置の最大数に等しい。
【０１４０】
なお、前記フィードバック信号グループに含まれるフィードバック信号の数は可変である。
【０１４１】
なお、前記処理回路は、さらに、前記電子機器と通信している前記通信装置の数に応じて、前記フィードバック信号グループに含まれるフィードバック信号の数を配置するように配置されている。
【０１４２】
なお、前記処理回路は、さらに、前記電子機器と通信している前記通信装置の数に応じて、前記マッピング関係を配置するように配置されている。
【０１４３】
なお、前記フィードバック信号グループを送信するためのリソースと、前記複数の通信装置のそれぞれがメッセージを送信するためのリソースとの間は、一定の関係を有する。
【０１４４】
処理回路を含む無線通信に用いられる電子機器であって、前記処理回路は、マッピング情報に応じて、複数のフィードバック信号を含むフィードバック信号グループにおける前記電子機器に対応する位置から、前記電子機器によって送信されたメッセージに対応するフィードバック信号を取得する、ように配置されており、前記複数のフィードバック信号は、前記電子機器を含む複数の通信装置によって送信された複数のメッセージに対するフィードバック信号であり、且つ、前記マッピング情報は、前記複数の通信装置と、前記複数の通信装置に対する前記複数のフィードバック信号の前記フィードバック信号グループにおける位置との対応関係を指示する電子機器。
【０１４５】
なお、処理回路を含む複数の通信装置と無線通信を行うための電子機器であって、前記処理回路は、前記複数の通信装置からの複数のメッセージに対して、複数のフィードバック信号をそれぞれ生成し、各通信装置に対するフィードバック信号を前記通信装置に対するダウンリンク制御情報に含ませて前記通信装置に送信する、ように配置されている。
【図１】
2020509616.tif 000003
【図２】
2020509616.tif 000004
【図３】
2020509616.tif 000005
【図４】
2020509616.tif 000006
【図５】
2020509616.tif 000007
【図６Ａ】
2020509616.tif 000008
【図６Ｂ】
2020509616.tif 000009
【図７】
2020509616.tif 000010
【図８Ａ】
2020509616.tif 000011
【図８Ｂ】
2020509616.tif 000012
【図９】
2020509616.tif 000013
【図１０】
2020509616.tif 000014
【図１１Ａ】
2020509616.tif 000015
【図１１Ｂ】
2020509616.tif 000016
【図１１Ｃ】
2020509616.tif 000017
【図１２】
2020509616.tif 000018
【図１３】
2020509616.tif 000019
【図１４】
2020509616.tif 000020
【図１５】
2020509616.tif 000021
【図１６】
2020509616.tif 000022
【図１７】
2020509616.tif 000023
【図１８】
2020509616.tif 000024
【図１９】
2020509616.tif 000025
【国際調査報告】
2020509616.tif 000026
2020509616.tif 000027
2020509616.tif 000028
2020509616.tif 000029